(57)【特許請求の範囲】
【請求項１】
検査対象物の所定の部位に接触させて当該検査対象物の電気的な検査を行うための検査用プローブを、前記所定の部位を含む面に対して垂直に保った状態で、前記所定の部位に接触させた状態もしくは離間させた状態に移動可能に支持する移動手段と、
前記検査用プローブを、前記所定の部位に接触させた状態もしくは離間させた状態で、前記所定の部位を含む面と平行な方向にのみ微動可能に支持する支持手段とを備え、
前記支持手段はプローブ保持部を有し、該プローブ保持部は、
前記検査用プローブと一体的に連結され、該検査用プローブの中心軸に直交する板状に形成された可動部と、
前記可動部の厚さとほぼ同じ厚さで、前記中心軸に直交する方向には前記可動部よりも大きな空間が形成され、前記可動部を前記空間内に収納したとき、前記可動部が前記中心軸方向へ移動することは規制し、前記中心軸に直交する方向へ移動可能に収納し得る可動部保持部品と、
前記可動部において、前記中心軸から偏心した位置に立設されるピンと、前記可動部保持部品において、前記空間に前記中心軸方向で隣接して設けられた空間の外周より、前記中心軸から離反方向に所定の長さに延設され、前記ピンが嵌り込む切欠きとを有する回動範囲規制手段とを備えることで、
前記検査用プローブを、その中心軸が前記所定の部位を含む面に対して垂直方向となるように支持しつつ、かつ前記所定の部位を含む面と平行な方向にのみ微動可能に支持するように構成されていることを特徴とする検査用プローブの支持機構。
【請求項２】
前記検査用プローブと前記プローブ保持部に一体的に連結された持ち手部を備えていることを特徴とする請求項１記載の検査用プローブの支持機構。
【発明の詳細な説明】
【技術分野】
【０００１】
本発明は、検査対象の電気機器の所定の場所に電気的検査用のプローブを垂直に押し当てて電気的な検査を行うための検査装置における検査用プローブの支持機構に関するものである。
【背景技術】
【０００２】
検査対象の電気機器の所定の場所に電気的検査用のプローブを垂直に押し当てて電気的な検査を行うための検査装置としては、例えば、検査対象のプリント基板上に形成されたコネクタに、検査装置の検査用プローブを押し当てて、電気的な検査を行う検査装置がある。
そのような検査装置の検査用プローブの支持機構では、図１４に示したように、
検査対象のプリント基板１００上の所定の場所に形成された位置決め用の穴１０１に、検査装置側に形成された位置決め用のピン１０２を差し込んで、前記検査用プローブの支持機構の前記位置決め用のピン１０２に対して、前記プリント基板１００を、所定の相対的な位置に位置決めしておき、前記位置決め用のピン１０２に対して所定の相対的な位置に形成された検査用プローブ１０３を、前記プリント基板１００上のコネクタ１０４に押し当てるように構成されている。
【０００３】
このような検査用プローブの支持機構においては、検査用プローブ１０３の耐久性を得るためと、検査用プローブ１０３とコネクタ１０４の電気的特性を担保するために、検査用プローブ１０３を、コネクタ１０４に対して正確に垂直に押し当てる必要がある。そのために、プリント基板側には位置決め用の穴１０１を設ける必要があり、検査用プローブの支持機構には位置決め用のピン１０２を備え、前記位置決め用のピン１０２と検査用のプローブ１０３とを、正確に垂直に昇降させる機構を備える必要があった。このような検査装置としては、例えば、特許文献１等のものが提案されている。
【先行技術文献】
【特許文献】
【０００４】
【特許文献１】特開平５−１７２８９９号公報
【発明の概要】
【発明が解決しようとする課題】
【０００５】
しかし、近年のプリント基板の高密度化や小型化に伴い、プリント基板上に位置決め用の穴の場所を確保することが困難になってきたので、特許文献１に記載のものでは対応できない状況になってきた。
前記プリント基板の位置決めは、プリント基板の外形を利用して行う必要があり、プリント基板の外形と、検査に用いるコネクタとの相対的な位置精度が十分には得られなくなってきた。
そこで、プリント基板上のコネクタに対して、検査用プローブを正確に押し当てるためには、検査者が目視により検査用プローブの位置を微調整することが可能な支持機構が必要となってきた。さらに、前記支持機構としては、検査用プローブを正確に垂直に保持することも必要である。
【０００６】
そこで、本発明は、検査対象の電気機器の所定の場所に電気的検査用のプローブを垂直に押し当てた状態で、相対的な位置の微調整も可能とする検査用プローブの支持機構を実現することを目的としてなされたものである。
【課題を解決するための手段】
【０００７】
本発明に係る検査用プローブの支持機構は、
検査対象物の所定の部位に接触させて当該検査対象物の電気的な検査を行うための検査用プローブを、前記所定の部位を含む面に対して垂直に保った状態で、前記所定の部位に接触させた状態もしくは離間させた状態に移動可能に支持する移動手段と、
前記検査用プローブを、前記所定の部位に接触させた状態もしくは離間させた状態で、前記所定の部位を含む面と平行な方向にのみ微動可能に支持する支持手段とを備え、
前記支持手段はプローブ保持部を有し、前記プローブ保持部は、
前記検査用プローブと一体的に連結され、該検査用プローブの中心軸に直交する板状に形成された可動部と、
前記可動部の厚さとほぼ同じ厚さで、前記中心軸に直交する方向には前記可動部よりも大きな空間が形成され、前記可動部を前記空間内に収納したとき、前記可動部が前記中心軸方向へ移動することは規制し、前記中心軸に直交する方向へ移動可能に収納し得る可動部保持部品と、
前記可動部において、前記中心軸から偏心した位置に立設されるピンと、前記可動部保持部品において、前記空間に前記中心軸方向で隣接して設けられた空間の外周より、前記中心軸から離反方向に所定の長さに延設され、前記ピンが嵌り込む切欠きとを有する回動範囲規制手段とを備えることで、
前記検査用プローブを、その中心軸が前記所定の部位を含む面に対して垂直方向となるように支持しつつ、かつ前記所定の部位を含む面と平行な方向にのみ微動可能に支持するように構成されていることを特徴としている。
【００１０】
また、本発明に係る検査用プローブの支持機構では、
前記検査用プローブと前記プローブ保持部に一体的に連結された持ち手部を備えていることを特徴とする。
【発明の効果】
【００１１】
本発明に係る検査用プローブの支持機構によれば、検査対象物の所定の部位に接触させて当該検査対象物の電気的な検査を行うための検査用プローブを、前記所定の部位を含む面に対して垂直に保った状態で、前記所定の部位に接触させた状態もしくは離間させた状態に移動可能に支持する移動手段と、前記検査用プローブを、前記所定の部位に接触させた状態もしくは離間させた状態で、前記所定の部位を含む面と平行な方向にのみ微動可能に支持する支持手段と、を備えているので、前記検査用プローブの位置を前記所定の部位に対して正確に垂直方向に押し当てて接触させることができ、検査用プローブに対するストレスを軽減でき耐久性が向上する。また、前記検査用プローブを、前記所定の部位を含む面と平行な方向にのみ微動させて位置を微調整することができるので、検査対象物に位置決め用の穴が無くても、検査用プローブを前記所定の部位に正確に接触させることが可能となる。したがって、検査対象物の組み立て精度のばらつきを吸収できるとともに、検査対象物としてのプリント基板の高密度化や小型化にも対応しやすくなる。
【００１２】
さらにまた、前記支持手段は、可動部と可動部保持部品とによって、前記検査用プローブを、前記所定の部位を含む面と平行な方向に微調整できるので、検査対象物に位置決め用の穴が無くても、検査用プローブを前記所定の部位に正確に接触させることが可能となる。したがって、検査対象物の組み立て精度のばらつきを吸収できるとともに、検査対象物としてのプリント基板の高密度化や小型化にも対応しやすくなる。
【００１３】
また、前記可動部に立設されるピンと、前記可動部保持部品において前記空間に前記中心軸方向で隣接して設けられた空間の一部から半径方向に所定の長さに延設され、前記ピンが嵌り込む切欠きとを有する回動範囲規制手段を備えているので、検査用プローブの接続ケーブル線に対するストレスを抑制できる。
【００１４】
また、本発明の検査用プローブの支持機構では、前記検査用プローブと前記プローブ保持手段に一体的に連結された持ち手部を備えているので、操作者が、前記持ち手部を手に持って操作して微動させることで、前記検査用プローブの位置を微調整することができる。また、前記持ち手部は、前記検査用プローブと前記プローブ保持手段に一体的に連結されているので、検査用プローブを押し当てる操作を行う操作者の手に、検査用プローブの感触がダイレクトに伝わり、操作者の手加減で調整でき、接触部分の損傷を減少させることができる。
【図面の簡単な説明】
【００１５】
【図１】検査装置の全体斜視図である。
【図２】検査用プローブの支持機構の要部の斜視図である。
【図３】検査用プローブの支持機構の要部の側面断面図である。
【図４】検査用プローブの支持機構の要部の側面断面図である。
【図５】検査手順を説明する概略側面図である。
【図６】検査手順を説明する概略側面図である。
【図７】検査手順を説明する概略側面図である。
【図８】検査手順を説明する概略側面図である。
【図９】検査手順を説明する概略側面図である。
【図１０】検査手順を説明する概略側面図である。
【図１１】検査手順を説明する概略側面図である。
【図１２】検査手順を説明する概略側面図である。
【図１３】検査手順を説明する概略側面図である。
【図１４】従来例の検査用プローブの支持機構の要部の側面断面図である。
【発明を実施するための形態】
【００１６】
検査装置の全体斜視図を示した図１において、
１は検査装置であり、本発明に係る検査用プローブの支持機構２を備えている。
前記検査用プローブの支持機構２は、縦ガイドパイプ２１と垂直ガイド支柱６１に沿って上下に移動可能に支持されたプローブ保持部３と、前記プローブ保持部３の下部に固定されたプローブ部４を備えている。前記プローブ保持部３の上部には、操作者が手に持って操作するための持ち手部４１が固定されている。
前記検査装置１の基台６の上面には、前記プローブ保持部３を垂直方向にガイドするための前記垂直ガイド支柱６１が垂直に設けられ、検査対象の製品を保持するための保持台７を水平方向にスライド可能に支持する２本の水平ガイドパイプ６２、６２が水平に設けられている。
【００１７】
前記水平ガイドパイプ６２には、前記保持台７の位置を商品セット位置の方向に付勢する水平方向のバネ６２１が配設されており、前記縦ガイドパイプ２１には、前記プローブ保持部３を上方に付勢する上下方向のバネ（図示を省略。）が配設されている。
前記縦ガイドパイプ２１の下部は、前記基台６の上面に配設されたガイド支持部６６によって若干の上下動可能に支持されている。
【００１８】
前記保持台７には、検査対象物を所定の位置に保持するための位置決め用の位置決めガイド７１が３箇所以上に設けられている。
また、後述するリミットスイッチ６４が、前記プローブ保持部３の下降位置を検出するために設けられている。
また、後述する解除機構８が、前記保持台７の位置を、検査位置に保持するためと、検査後に開放するために設けられている。
前記プローブ部４の下端に配設された検査用プローブ４０は、接続ケーブル線９１（図２参照。）によって、電気信号の検査処理を行う検査処理部９と接続されている。
なお、前記検査用プローブ４０の中心軸は、前記基台６の上面および前記保持台７に対して垂直方向にセットされている。
【００１９】
分解斜視状態を示した図２に示したように、
前記検査用プローブの支持機構２を構成するプローブ保持部３は、
操作者が手に持って操作するための持ち手部４１と、
前記持ち手部４１の下部に固定された円盤状の可動部４２と、
前記可動部４２の下部に固定されたプローブ固定部品４３とを備えており、
前記プローブ固定部品４３に形成されたプローブ固定部４３１には、検査用プローブ４０が、プローブ固定用絶縁部材４４とプローブ保持用絶縁部材４５とによって絶縁状態で覆われて、横方向から嵌め込まれて固定されている。
なお、前記可動部４２は、前記検査用プローブ４０の中心軸に直交する板状の円盤状に形成されている。
【００２０】
前記プローブ保持部３は、さらに、
前記可動部４２を保持する空間Ｓが形成された可動部保持部品３１と、
前記空間Ｓをカバーするように前記可動部保持部品３１に固定された固定部品３２とを備えている。
また、前記プローブ保持部３に固定されたガイド３３は、前記垂直ガイド支柱６１に沿って昇降可能に取り付けられている。
前記プローブ保持部３の前記可動部保持部品３１には、図１に示した前記縦ガイドパイプ２１の上端２２が挿通され、前記可動部保持部品３１は前記縦ガイドパイプ２１と前記垂直ガイド支柱とに沿って昇降可能に支持されている。
なお、前記縦ガイドバイプ２１と、前記垂直ガイド支柱６１および前記ガイド３３によって、特許請求の範囲に記載された移動手段が構成され、前記可動部４２と、前記可動部保持部品３１および前記固定部品３２とによって、特許請求の範囲に記載された支持手段が構成されている。
以上において、前記プローブ保持部３は、前記検査用プローブの中心軸の方向に沿って垂直昇降可能であり、前記可動部４２は、前記検査用プローブの中心軸に直交する方向に微動可能となっている。
【００２１】
また、前記空間Ｓの一部には、前記プローブ固定部４３と前記可動部４２とを連結するように配設されたピン４６が遊挿される切欠きＳ１が形成されている。
前記ピン４６は、前記切欠きＳ１内で移動することは可能であるが、前記切欠きＳ１を逸脱した範囲まで移動することはできないので、前記ピン４６と前記切欠きＳ１によって、特許請求の範囲に記載された回動範囲規制手段を構成している。
【００２２】
組み立て状態の側面断面を示した図３、４に示したように、
前記プローブ保持部３の微動可能な部分を構成する前記持ち手部４１、可動部４２、プローブ固定部品４３、プローブ固定用絶縁部材４４、プローブ保持用絶縁部材４５、ピン４６、およびプローブ部４は、別々の部材であるが、ネジ等の手段によって上下方向に一体的に連結されて固定されている。
例えば、前記持ち手部４１の下方への延長部分が、前記可動部４２の中心部分を貫いて、さらにプローブ固定部品４３に挿入された状態で固定されている。そして、前記プローブ固定部品４３にプローブ部４が嵌め込まれている。以上のようにして、各部材が一体的に連結されて固定されているので、前記持ち手部４１を手に持って操作することで、前記プローブ部４の位置を微動させることができるのである。
なお、図４の（Ａ）は、一体的に連結固定された微動可能な部分のみを示したものであり、図４の（Ｂ）は、前記微動可能な部分の可動部４２を水平方向に微動可能に支持するための可動部保持部品３１と固定部品３２との連結固定状態を示し、そこに形成される空間Ｓと切欠きＳ１とを示したものである。
【００２３】
前記空間Ｓは、前記可動部４２が前記空間Ｓ内で水平方向に微動可能なように、上下方向の隙間はほとんど無く、横方向には周囲に例えば０．５ミリの隙間が形成されている。
前記可動部４２の上下両面と、前記可動部保持部品の上面と、前記固定部品３２の下面とは、それぞれ十分に平滑状態に仕上げられているので、前記プローブ保持部３の垂直状態は保持されたままの状態で、水平方向には微動可能となっている。
【００２４】
前記ピン４６は、前記切欠きＳ１の中でのみ自由に移動可能に配設されているので、前記ピン４６に連結された前記プローブ保持部３は、水平方向には微動可能であるが、縦軸回りには回転が規制されており、前記プローブ部４に接続されている接続ケーブル線９１に大きなストレスがかかることを防いでいる。
【実施例１】
【００２５】
次に、実施例１として、上記構成の検査装置１を用いて、検査対象の商品（無線通信機）の所定の電気的特性（アンテナ部の電気的特性）を検査する手順を、図５〜図１３を参照して説明する。なお、各部の符号は、図１〜図４において説明したものは、その説明を省略して用い、まだ説明していないものはその都度説明する。なお、図５〜図１３においては、図の煩雑化を防ぐために、説明に必要な要部以外は図示を省略している。
図５に示した符号５は、検査対象物としての無線通信機の一部であり、上面側の筐体は取り外して、内部のプリント基板５１が露出した状態で、下面側の筐体５３に固定された状態を示している。
前記プリント基板５１の所定の位置には、アンテナ部の電気的特性を検査するためのコネクタ５２が露出して配設されている。
なお、前記コネクタ５２は、特許請求の範囲に記載された検査対象物の所定の部位に対応している。
【００２６】
図５に示したように、右側の商品セット位置に復帰している保持台７の位置決めガイド７１に前記商品５の筐体５３の外形を合わせてセットする。
次に、図６に示した矢印Ａ１のように、前記商品５がセットされた保持台７を、検査位置までスライドさせる。このとき、後述するように、解除機構８が作動（図１１、１２参照）して、前記保持台７を検査位置に保持する。
その後、前記持ち手部４１を持って、図６、７に示した矢印Ａ２、Ａ３のように、前記プローブ保持部３を押し下げて、前記検査用プローブ４０を、前記検査対象物５の前記コネクタ５２に押し当てる。
【００２７】
なお、前記持ち手部４１を、操作者が手に持って押し下げる操作をするとき、前記検査用プローブ４０は、ほぼ前記コネクタ５２の真上から降下するが、製品のバラツキによっては若干の水平方向の位置ずれがあるので、操作者は、検査用プローブ４０の先端が正確に前記コネクタ５２の中心に押し当てられるように、前記持ち手部４１を水平方向に微動させながら操作する。
また、前記検査用プローブ４０の先端が前記コネクタ５２の中心に当接すると、その手応えがダイレクトに前記持ち手部４１まで伝わるので、操作者は押し当てる力を手加減しながら適正な状態で、検査を行うことができる。
【００２８】
なお、前記検査用プローブ４０の先端が前記コネクタ５２に当接した状態では、後述するようにリミットスイッチ６４が作動（図１２参照）するので、前記リミットスイッチ６４の作動信号に基づいて、前記検査処理部９における信号処理が開始されるように構成されている。
【００２９】
前記検査処理部９における信号処理が終了した後、
図８に示したように、操作者が前記持ち手部４１を押さえている力を抜くと、圧縮されていた上下方向のバネの復元力によって、前記プローブ保持部３は上端まで上昇する。
その後に、図８に示した矢印Ａ４のように、操作者が前記持ち手部４１を若干引き上げると、後述するように前記解除機構８が解除動作（図１３参照）して、圧縮されていた水平方向のバネ６２１の復元力によって、前記保持台７は、矢印Ａ５の方向に付勢され、図９の矢印Ａ６に示されたように復帰スライドする。
前記保持台７が、図１０の位置、すなわち図５の商品セット位置に復帰した後、前記保持台７にセットされていた検査済みの検査対象物５を取り外す。
その後、必要に応じて、次の検査対象物を、図５に示したようにセットして、図５〜図１０の動作を繰り返す。
【００３０】
次に、前記解除機構８と前記リミットスイッチ６４の動作を、図１１〜図１３を参照して説明する。
図１１〜図１３は、図５〜図１０に示した前記保持台７等の要部を省き、前記保持台７の背面に位置する前記解除機構８と前記リミットスイッチ６４を、主に示したものである。
図１１に示したように、保持台７の背面側面には、解除機構８の一方を構成する係合部８１が突設されており、前記縦ガイドパイプ２１の下端には、解除機構８の他方を構成する係合回動部８２が回動可能に軸支されている。
図１１に示したように、前記保持台７を商品セット位置から矢印Ａ７の方向にスライドさせ、図１２の矢印Ａ８に示したようにさらにスライドさせると、前記係合部８１が前記係合回動部８２と係合状態になり、前記保持台７は検査位置に保持される。
【００３１】
続いて、図１２の矢印Ａ９に示したように、前記プローブ保持部３を押し下げると、前記プローブ保持部３の一部が、前述したように前記リミットスイッチ６４を作動させる。
そして、検査終了後に、図１３の矢印Ａ１０に示したように、前記プローブ保持部３を若干引き上げると、前記縦ガイドパイプ２１も引き上げられ、その下端に連結された前記係合回動部８２を、矢印Ａ１１の方向に回動させる。それによって、前記係合回動部８２と前記係合部８１との係合状態は解除されるので、前記水平方向のバネ６２１の復元力によって、前記係合部８１は前記保持台７とともに、矢印Ａ１２の方向にスライドして復帰するのである。
【００３２】
また、保持台７を図５、６に示したように前記商品セット位置から前記検査位置にスライドさせると、前記保持台７に配設された電源チェック端子（図示せず）の下端が、前記基台６の上面に配設された傾斜面（図示せず）によって押し上げられて、前記電源チェック端子が、前記検査対象物５の下面に形成された電源端子（図示せず）に当接して、電源チェックを行うように構成されている。
なお、前記保持台７にセットされた検査対象物５を、前記商品セット位置から前記検査位置にスライドさせるときには、前記傾斜面によって押し上げられても浮き上がらないように、浮き上がり防止用ローラ６７（図６参照）で押さえるように構成されている。
また、前記保持台７が所定の検査位置に来るまでは、前記プローブ保持部３が降下できないように規制用プレート６３が設けられている。前記保持台７が前記検査位置にセットされると、前記規制プレート６３による規制範囲から外れるので、前記プローブ保持部３は下降可能になる。
【００３３】
以上のようにして、前記検査装置１によれば、
検査対象の商品のプリント基板に位置決め用の穴が不要となるため、プリント基板の高密度化、小型化が可能となる。
また、検査用プローブの角度は、常に、プリント基板に対して所定の角度、ここでは垂直な状態に保持されるので、検査用プローブがプリント基板のコネクタに対して斜めに押し当てられることがなく、検査用プローブの耐久性が向上するという効果も得られる。
さらに、検査者の手操作によって、検査用プローブの位置を水平方向に微調整可能であるため、検査対象の装置の組み立て精度のばらつきを吸収できる。
また、持ち手部から先端の検査用プローブまで、一体的に連結固定されているので、持ち手部を、操作者が手に持って操作するとき、下端の検査用プローブにかかる感触が前記持ち手を介して、操作者の手にダイレクトに伝わり、手加減で調整でき、コネクタの損傷を減少させることができる。
【００３４】
なお、特許請求の範囲に記載された前記移動手段は、
前記検査用プローブを、前記製品の所定の部位に対して所定の角度に保った状態で移動可能に支持するものであればよく、前記所定の部位の特性や、前記検査用プローブの先端の特性、もしくは、前記製品の所定の部位を含む面が、垂直でなく傾斜している場合等によっては、前記傾斜している面に対して垂直な方向に移動可能に支持する構成や、前記所定の部位に対して一定の傾斜した角度で支持する構成とすることもできる。
また、特許請求の範囲に記載された前記支持手段は、
前記検査用プローブを、前記所定の角度と異なる方向に微動可能に支持するものであればよく、前記所定の部位の特性や、前記検査用プローブの先端の特性、もしくは、前記製品の所定の部位を含む面が、垂直でなく傾斜している場合等によっては、前記所定の部位に対して、前記所定の角度と異なる方向に微動可能であればよい。
【産業上の利用可能性】
【００３５】
本発明は、無線通信機に限らず、種々の製品の電気的な検査装置に採用することができる。
【符号の説明】
【００３６】
1      検査装置
2      検査用プローブの支持機構
21     縦ガイドパイプ
3      プローブ保持部
31     可動部保持部品
32     固定部品
33     ガイド
4      プローブ部
40     検査用プローブ
41     持ち手部
42     可動部
43     プローブ固定部品
44     プローブ固定用絶縁部材
45     プローブ保持用絶縁部材
46     ピン
5      検査対象物
51     プリント基板
52     コネクタ
53     筐体
6      基台
61     垂直ガイド支柱
62     水平ガイドパイプ
64     リミットスイッチ
66     ガイド支持部
67     浮き上がり防止用ローラ
7      保持台
71     位置決めガイド
8      解除機構
81     係合部
82     係合回動部
9      検査処理装置
91     接続ケーブル線
Ｓ     空間
Ｓ１    切欠き
【図１】
0005824941.tif 000002
【図２】
0005824941.tif 000003
【図３】
0005824941.tif 000004
【図４】
0005824941.tif 000005
【図５】
0005824941.tif 000006
【図６】
0005824941.tif 000007
【図７】
0005824941.tif 000008
【図８】
0005824941.tif 000009
【図９】
0005824941.tif 000010
【図１０】
0005824941.tif 000011
【図１１】
0005824941.tif 000012
【図１２】
0005824941.tif 000013
【図１３】
0005824941.tif 000014
【図１４】
0005824941.tif 000015